(57)【特許請求の範囲】
【請求項１】
マルチセッションでユーザ情報の記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号からユーザ情報を読み取る信号処理手段と、記録信号検出手段で検出された記録信号から回転速度信号を作成し、該回転速度信号に基づき光ディスクを所定の速度で回転させるスピンドルサーボ手段と、スピンドルサーボ手段に付設されてスピンドルサーボのロックを検出するロック検出手段と、を備えた光ディスク再生装置において、
トラッキングサーボ手段とスレッドサーボ手段を制御し、光ピックアップの読み取り位置を追記セッションの存在する可能性の在る位置へ移動させる移動制御手段と、
光ピックアップの読み取り位置が追記セッションの存在する可能性の在る位置へ移動後、各種サーボ手段のオン状態でロック検出手段がロックを検出しなかったとき、追記セッション無しと判別する判別手段と、
を備えたことを特徴とする光ディスク再生装置。
【請求項２】
マルチセッションでユーザ情報の記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号中のクロック成分を再生するＰＬＬ式クロック再生手段と、該ＰＬＬ式クロック再生手段に付設されてＰＬＬのロックを検出するロック検出手段と、再生クロックを用いて記録信号検出手段で検出された記録信号からユーザ情報を読み取る信号処理手段と、光ディスクを所定の速度で回転させるスピンドルサーボ手段と、を備えた光ディスク再生装置において、
トラッキングサーボ手段とスレッドサーボ手段を制御し、光ピックアップの読み取り位置を追記セッションの存在する可能性の在る位置へ移動させる移動制御手段と、
光ピックアップの読み取り位置が追記セッションの存在する可能性の在る位置へ移動後、各種サーボ手段のオン状態でロック検出手段がロックを検出しなかったとき、追記セッション無しと判別する判別手段と、
を備えたことを特徴とする光ディスク再生装置。
【請求項３】
マルチセッションでユーザ情報の記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号からユーザ情報を読み取ったり、同期信号を検出する信号処理手段と、光ディスクを所定の速度で回転させるスピンドルサーボ手段と、スピンドルサーボ手段のロックを検出するロック検出手段と、を備えた光ディスク再生装置において、
トラッキングサーボ手段とスレッドサーボ手段を制御し、光ピックアップの読み取り位置を追記セッションの存在する可能性の在る位置へ移動させる移動制御手段と、
光ピックアップの読み取り位置が追記セッションの存在する可能性の在る位置へ移動後、各種サーボ手段のオン状態で信号処理手段が同期信号を検出しなかったとき、追記セッション無しと判別する判別手段と、
を備えたことを特徴とする光ディスク再生装置。
【請求項４】
マルチセッションでユーザ情報とサブコードの記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号からユーザ情報とサブコードを読み取る信号処理手段と、光ディスクを所定の速度で回転させるスピンドルサーボ手段と、を備えた光ディスク再生装置において、
トラッキングサーボ手段とスレッドサーボ手段を制御し、光ピックアップの読み取り位置を追記セッションの存在する可能性の在る位置へ移動させる移動制御手段と、
光ピックアップの読み取り位置が追記セッションの存在する可能性の在る位置へ移動後、各種サーボ手段のオン状態で信号処理手段がサブコードを検出しなかったとき、追記セッション無しと判別する判別手段と、
を備えたことを特徴とする光ディスク再生装置。
【発明の詳細な説明】
【０００１】
【技術分野】
本発明は光ディスク再生装置に係り、とくにＣＤ−Ｒ（コンパクトディスク−レコーダブル）、ＣＤ−ＲＷ（コンパクトディスク−リライタブル）等のマルチセッションでユーザ情報の記録可能な光ディスクに対し追記セッションの不存在を判別可能とした光ディスク再生装置に関する。
【０００２】
【従来の技術】
ＣＤ−Ｒと呼ばれる追記型の光ディスクが在る。このＣＤ−Ｒでは、リードイン領域、ユーザ情報の記録されたプログラム領域、リードアウト領域から成るセッションを１個だけ記録可能とするシングルセッションと呼ばれる記録形式と、複数個記録可能とするマルチセッションと呼ばれる記録形式が在る。各セッションのリードイン領域にサブコードで記録された管理情報にはプログラム領域の開始位置（絶対時間）、リードアウト領域の開始位置（絶対時間）、追記許可の場合に追記許可を示す追記許可情報及び次のセッションのプログラム領域の開始位置（絶対時間）等が記録されており、ＣＤ−Ｒ再生装置では１番目のセッションのリードイン領域に記録された管理情報を読み取り、追記許可となっていなければシングルセッションで在ることが判り、他のセッションの存在を確認する必要はない。
【０００３】
一方、マルチセッションの場合、ＣＤ−Ｒ再生装置では或るセッションのリードイン領域の管理情報を読み取り、追記許可となっていれば次のセッション（追記セッション）が存在する可能性が在るので、次のセッションのプログラム領域開始位置情報を手掛かりにして次のセッションの検索を行い、存否を判別する必要が在る（図１２参照）。
【０００４】
従来のＣＤ−Ｒ再生装置の構成を図６に示す。１はＣＤ−Ｒ、２はＣＤ−Ｒ１を回転させるスピンドルモータ、３はＣＤ−Ｒ１の信号面にレーザビームを照射し、反射ビームを受光し、光電変換して出力する光ピックアップ、４はレーザビームを一点に集光させる対物レンズ、５は対物レンズ４をＣＤ−Ｒ１に対し垂直方向に移動するフォーカスアクチュエータ、６は対物レンズ４をＣＤ−Ｒ１のディスク半径方向に移動するトラッキングアクチュエータ、７は光ピックアップ３をＣＤ−Ｒ１のディスク半径方向へ移動するスレッドモータである。
【０００５】
８は光ピックアップ３の出力からＣＤ−Ｒ１の記録信号であるＲＦ信号を作成し、２値化したＥＦＭ信号を出力したり、フォーカスエラー信号ＦＥ、トラッキングエラー信号ＴＥを作成するヘッドアンプであり、ＲＦ信号の包洛線検波信号のレベルが所定のしきい値を越えているとき、ＲＦ信号有りを示すハイレベルのＲＦＯＫ信号を出力する機能も有している。９はＲＦ信号の変化からレーザビームがＣＤ−Ｒ１のトラックを横切った本数を計数するトラック横切り本数計数回路、１０はフォーカスエラー信号ＦＥに基づきフォーカスアクチュエータを駆動し、ＣＤ−Ｒ１の面振れに関わらずレーザビームを信号面に合焦させるフォーカスサーボ回路であり、この内、１１はループスイッチ、１２はフォーカスエラー信号ＦＥに対する位相補償を行う位相補償回路、１３は位相補償回路１２の出力に基づきフォーカスアクチュエータ５を駆動するドライバ回路、１４はフォーカスサーチ時にフォーカスエラー信号ＦＥを絶対値化し、所定のしきい値ＴＨと比較することでゼロクロスタイミングを検出し、フォーカスゼロクロス信号ＦＺＣを出力するコンパレータである。
【０００６】
２０はトラッキングエラー信号ＴＥに基づきトラッキングアクチュエータを駆動し、ＣＤ−Ｒ１の芯振れに関わらずレーザビームがトラックを追従するようにさせるトラッキングサーボ回路であり、この内、２１はループスイッチ、２２はトラッキングエラー信号ＴＥに対する位相補償を行う位相補償回路、２３は位相補償回路２２の出力に基づきトラッキングアクチュエータ６を駆動するドライバ回路、２４はトラッキングエラー信号ＴＥがトラッキングサーボの負帰還領域に入っている期間を検出する負帰還領域検出回路である。
【０００７】
３０はトラッキングサーボ回路１１の出力に基づきスレッドモーダ７を駆動し、読み取り位置の進行に伴い光ピックアップ３をディスク半径方向外側へ移動させ、レーザビームがトラックを追従するようにさせるスレッドサーボ回路であり、この内、３１はループスイッチ、３２はトラッキングサーボ回路２０の出力（スレッドエラー信号）に対する位相補償を行う位相補償回路、３３は位相補償回路３２の出力に基づきスレッドモータ７を駆動するドライバ回路である。４０はＥＦＭ信号から作成された後述する回転速度検出信号（ＣＬＶ制御信号）に基づきスピンドルモータ２を駆動し、ＣＤ−Ｒ１を線速度一定で回転制御させるスピンドルサーボ回路であり、この内、４１は回転速度信号の周波数に反比例する電圧を出力する周波数−電圧変換回路（ｆ−Ｖ）、４２は回転速度検出信号と所定周波数の回転基準信号との周波数・位相比較を行う位相比較回路、４３は位相比較回路４２の出力する誤差信号の低域成分を抽出するＬＰＦ、４４は周波数−電圧変換回路（ｆ−Ｖ）４１とＬＰＦ４３の出力を加算する加算器、４５はループスイッチ、４６はループスイッチ４５を介して入力した加算器４４の出力に基づきスピンドルモータ２を駆動するドライバ回路である。
【０００８】
５０はヘッドアンプ８から出力されたＥＦＭ信号より、該ＥＦＭ信号に含まれるチャネルビット周期Ｔのクロック成分を再生するＰＬＬ式クロック再生回路、５１はＰＬＬ式クロック再生回路５０で再生されたクロックを用いてＥＦＭ信号からビット単位のデータを読み取り、ＥＦＭデータを出力するビット読み取り回路、５２はＥＦＭデータからフレーム同期信号を検出して再生出力する同期信号検出回路であり、フレーム同期信号検出信号ＦＳＤを出力する機能も有している。５３はＥＦＭ信号から１１Ｔの最長パルスを検出する最長パルス検出回路、５４は最長パルスのパルス幅の５８８／１１倍の周期の擬似フレーム同期信号を生成する擬似同期信号発生回路、５５は同期信号検出回路５２の出力するフレーム同期信号検出信号ＦＳＤに基づき切り換えられるスイッチであり、フレーム同期信号を検出出来ていないとき擬似同期信号発生回路５４の側（ａ側）に切り換えられ、フレーム同期信号を検出出来ているとき同期信号検出回路５２の側（ｂ側）に切り換えられる。スイッチ５５の出力はＣＤ−Ｒ１の回転速度検出信号としてスピンドルサーボ回路４０へ出力される。
【０００９】
６０はディジタル信号処理回路であり、ＥＦＭデータからサブコードを読み取ったり、プログラム領域に記録されたユーザ情報を読み取り、外部へ出力する。７０はマイコン構成のコントローラであり、ＣＤ−Ｒ１が装填されると装置の各部を制御し、ＣＤ−Ｒ１の各セッションを検索しながらリードイン領域に記録された管理情報を読み取らせ、内蔵メモリ（図示せず）に記憶するとともにホスト側に出力したり、ホスト側の要求に従いＣＤ−Ｒ１の各セッションのユーザ情報を読み取らせてホスト側に出力させたりする。
【００１０】
図７はフォーカスサーボ回路１０によるフォーカスサーチ動作の説明図、図８〜図１１はコントローラ７０による管理情報読み取り処理を示すフローチャート、図１２は管理情報読み取り動作の説明図であり、以下、これらの図を参照して管理情報読み取り動作を説明する。予め、図１２に示す如く２つのセッション＃１、＃２が記録されたＣＤ−Ｒ１が装置に装填済であり、光ピックアップ３はＣＤ−Ｒ１の最内周の１番目のセッション＃１のリードイン領域の開始位置に待機しているものとする。また、各ループスイッチ１１、２１、３１、４５はオフしており、スイッチ５５はａ側となっているものとする。
コントローラ７０は管理情報の読み取りに際し、まず、セッションの位置を示すｉを１に初期化し、各サーボの立ち上げを行う（図８のステップＳ１０、Ｓ１１）。すなわち、フォーカスサーボをオンするため、三角波のフォーカスサーチ信号をドライバ１３に印加し、対物レンズ４をＣＤ−Ｒ１の信号面に対し垂直方向に移動させる（フォーカスサーチ）。フォーカスサーチ信号、ＦＥ、｜ＦＥ｜、コンパレータ１４の出力ＦＺＣは図７の実線の如く変化し、ＦＥが零点を通過する直前でコンパレータ１４の出力ＦＺＣが立ち下がったタイミングでコントローラ７０はループスイッチ１１を閉じ、フォーカスサーボをオンさせる（なお、図７の破線はループスイッチ１１を閉じなかった場合の変化を示す）。
【００１１】
次に、スピンドルサーボをオンするため、ループスイッチ４５を閉じる。ＣＤ−Ｒ１の停止状態では最長パルス検出回路５３が最長パルスを検出できず、擬似同期信号発生回路５４は周期が無限に長い擬似フレーム同期信号を出力する。スピンドルサーボ回路４０は、周波数−電圧変換回路４１が大きな電圧を出力し、スピンドルモータ２を立ち上げさせる。ＣＤ−Ｒ１の芯振れで光ピックアップ３のレーザビームがトラックを横切り、ＴＥが周期的に変化する。負帰還領域検出回路２４でＴＥが負帰還領域に入ったことが検出されている間にループスイッチ２１を閉じ、トラッキングサーボをオンさせ、続いて、ループスイッチ３１を閉じ、スレッドサーボをオンさせる（以上、ステップＳ１１）。
【００１２】
レーザビームはＣＤ−Ｒ１の信号面に合焦した状態でトラックを追従し、ヘッドアンプ８からＥＦＭ信号が出力される。ＣＤ−Ｒ１の回転速度が遅い間、ＰＬＬ式クロック再生回路５０はロックせず、同期信号検出回路５２はフレーム同期信号を検出できず、スイッチ５５はａの側のままである。ＥＦＭ信号から１１Ｔの最長パルスが最長パルス検出回路５３で検出され、該最長パルスのパルス幅の５３３／１１倍の周期を持つ擬似フレーム同期信号が擬似同期信号発生回路５４から出力され、スイッチ５５を介して回転速度検出信号としてスピンドルサーボ回路４０に入力されるが、ＣＤ−Ｒ１の回転の立ち上がりに応じて回転速度検出信号の周波数が次第に大きくなり、周波数−電圧変換回路４１の出力電圧が次第に小さくなる。また、位相比較回路４２の検出誤差も最初は大きいが回転速度検出信号の周波数が回転基準信号の周波数に近づくと次第に小さくなり、ＬＰＦ４３の出力電圧も最初は大きいが次第に小さくなる。規定線速度に近づきＰＬＬ式クロック再生回路５０がロックすると、ビット読み取り回路５１は正しいＥＦＭデータを出力し、同期信号検出回路５２はフレーム同期信号を検出できるようになり、スイッチ５５をｂ側に切り換え、ＥＦＭ信号から再生したフレーム同期信号を回転速度検出信号として出力させる。回転速度検出信号の周波数が回転基準信号近くに達すると、スピンドルサーボ系はロックし、ＣＤ−Ｒ１は規定の線速度で回転し、ビット読み取り回路５１から規定レートでＥＦＭデータが出力され、ディジタル信号処理回路６０により１番目のセッションのリードイン領域のサブコードが読み取られて、コントローラ７０に入力される。
【００１３】
コントローラ７０は各種サーボをオンしたあと、ディジタル信号処理回路６０で読み取られた１番目のセッション＃１のリードイン領域のサブコードＱチャンネルを入力し、１番目のセッションの管理情報として内蔵メモリに記憶し、追記許可かチェックする（ステップＳ１２、Ｓ１３。図１２の符号Ａ参照）。不許可であれば、２番目以降のセッションは存在しないのでセッション検索処理をすることなく管理情報読み取り処理を終了するが、ここでは許可であったとすると、２番目のセッションが存在する可能性が有るので２番目のセッションの検索を行う。即ち、まずｉ＝２とし（ステップＳ１４）、１番目のセッションの管理情報中の次のセッションのプログラム領域開始位置ＰＳ2 を目標位置とし、サブコードＱチャンネル中の現在位置と比較して、光ピックアップ３の読み取り位置の移動量Ｍ（Ｍの符号でディスク半径方向外側か内側かの移動方向を示し、｜Ｍ｜でトラック横切り本数を示す）を求める（ステップＳ１５）。ここで、Ｍが正のときはディスク半径方向外側への移動、負のときはディスク半径方向内側への移動である。
【００１４】
｜Ｍ｜≧トラック１００本のとき、ループスイッチ２１と３１を開き、トラッキングサーボとスレッドサーボをオフし（ステップＳ１６でＹＥＳ、Ｓ１７。なお、フォーカスサーボとスピンドルサーボはオンしたままとする）、Ｍが正のときはドライバ３３に正のスレッド送り信号を送出してスレッドモータ７を正転させ、光ピックアップ３をディスク半径方向外側に向けて移動させ、Ｍが負のときはドライバ３３に負のスレッド送り信号を送出してスレッドモータ７を逆転させ、光ピックアップ３をディスク半径方向内側に向けて移動させ、光ピックアップ３の読み取り位置を２番目のセッションが存在する可能性の有る位置に移動させる（ステップＳ１８。図１２の符号Ｂ参照）。そして、スレッド送り開始後、所定の一定時間経過する前に、トラック横切り本数計数回路９で計数しているトラック横切り本数が｜Ｍ｜に達したかを監視する（ステップＳ１９）。若し、一定時間内に｜Ｍ｜に達しなければ２番目のセッションが存在しない可能性が有るので、コントローラ７０は図１０のステップＳ５０に進み、２番目のセッションが不存在か判別する処理を行うが、ここでは一定時間経過する前にトラック横切り本数計数回路９で計数しているトラック横切り本数が｜Ｍ｜に達したとすると、｜Ｍ｜に達した時点でステップＳ１９でＹＥＳと判断し、スレッド送り信号の送出を止め（ステップＳ２０）、ループスイッチ２１と３１を閉じ、トラッキングサーボとスレッドサーボをオンし、その後所定の一定時間経過する前に、ディジタル信号処理回路６０でサブコードが読み取られたかを監視する（ステップＳ２１、Ｓ２２）。
【００１５】
若し、一定時間内にサブコードが読み取られなければ、２番目のセッションが存在しない可能性が有るので、図１０のステップＳ５０に進み、２番目のセッションが不存在か判別する処理を行うが、ここでは一定時間内に読み取られたとすると、ステップＳ２２でＹＥＳと判断し、サブコードＱチャンネル中の現在位置がＰＳ2 と一致しているかチェックする（ステップＳ２３）。ＹＥＳとなれば２番目のセッション（＃２）が存在すると判別し、図９のステップＳ３０へ進むが、ここではＮＯであるとすると、ステップＳ１５に戻り、今回の目標位置ＰＳ2 と現在位置を比較して、光ピックアップ３の読み取り位置の移動量Ｍを求める。｜Ｍ｜≧トラック１００本であれば、ステップＳ１７に進み、前述と同様にして、スレッド送りにより読み取り位置を移動するが（ステップＳ１６でＹＥＳ、Ｓ１７〜Ｓ２２）、ここでは｜Ｍ｜＜トラック１００本であったとすると、Ｍが正のときはドライバ２３に正方向のレンズキックパルスを出力し、光ピックアップ３を移動することなく、レーザビームをディスク半径方向外側へ｜Ｍ｜本分トラックジャンプさせ、Ｍが負のときはドライバ２３に負方向のレンズキックパルスを出力し、光ピックアップ３を移動することなく、レーザビームをディスク半径方向内側へ｜Ｍ｜本分トラックジャンプさせる（ステップＳ１６でＮＯ、Ｓ２４。図１２の符号Ｃ参照）。
【００１６】
そして、ディジタル信号処理回路６０でサブコードが一定時間内に読み取られるのを待ち、サブコードが読み取られればＱチャンネル中の現在位置がＰＳ2 と一致するかチェックする（ステップＳ２２、Ｓ２３）。ＹＥＳとなれば２番目のセッション＃２が存在すると判別し、図９のステップＳ３０に進み、２番目のセッション＃２が存在することを内蔵メモリに登録し、２番目のセッション＃２のリードイン領域開始位置ＬＳ2 （＝ＰＳ2 −６０秒）を新たな目標位置とし、Ｑチャンネル中の現在位置と比較して、光ピックアップ３の読み取り位置の移動量Ｍを求める（ステップＳ３１）。そして、図８のステップＳ１６〜Ｓ２４の場合と全く同様にして、光ピックアップ３の読み取り位置をＬＳ2 に移動させたあと（図１０のステップＳ３２〜Ｓ４０。図１２の符号Ｄ参照）、図８のステップＳ１２に戻り、ディジタル信号処理回路６０で読み取られた２番目のセッション＃２のリードイン領域のサブコードＱチャンネルを入力し、２番目のセッションの管理情報として内蔵メモリに記憶し、追記許可かチェックする（ステップＳ１２、Ｓ１３。図１２の符号Ｅ参照）。不許可であれば、３番目以降のセッションは存在しないので管理情報読み取り処理を終了するが、許可であったとすると、３番目のセッションが存在する可能性が有るので前述と同様にして３番目のセッションの検索を行う。
【００１７】
すなわち、２番目のセッション＃２の管理情報に含まれている３番目のセッションのプログラム領域開始位置ＰＳ3 を新たな目標位置とし、Ｑチャンネル中の現在位置と比較して、光ピックアップ３の読み取り位置の移動量Ｍを求め（ステップＳ１４、１５）、ＰＳ2 をサーチした場合と全く同様にして、光ピックアップ３の読み取り位置を３番目のセッションの存在する可能性の有る位置に移動させる（ステップＳ１６でＹＥＳ、Ｓ１７〜Ｓ１９、またはステップＳ１６でＮＯ、Ｓ２４。図１２の符号Ｆ参照）。けれども、実際には３番目のセッションが存在しないため、光ピックアップ３の移動中に２番目のセッション＃２のリードアウト領域を過ぎるとＲＦ信号が落ちてトラック横切り本数計数回路９の計数が進まないため、トラック横切り本数が｜Ｍ｜に達する前にステップＳ１９でＮＯとなったり、レンズキックによるトラックジャンプ後、読み取り位置が２番目のセッション＃２のリードアウト領域を越えた位置に来たため、サブコードの読み取りが出来ないまま一定時間過ぎ、ステップＳ２２でＮＯとなったりする。このとき、コントローラ７０は図１０のステップＳ５０へ進み、３番目のセッションが不存在か判別する処理を行う。
【００１８】
具体的には、まずＰＬ3 のサーチ動作を強制終了するため、一旦、ループスイッチ１１、２１、３１、４５を開き、スイッチ５５をａ側に切り換えて各種サーボをオフする。そして、あらためて図８のステップＳ１１の場合と同様にして各種サーボをオンさせる（ステップＳ５１）。このあと、ヘッドアンプ８からＲＦ信号が有ることを示すハイレベルのＲＦＯＫ信号が入力されるかチェックし、入力されなければ３番目のセッションは不存在であると判別して内蔵メモリに登録し、一連の処理を終える（ステップＳ５２、Ｓ５３）。若し、ヘッドアンプ８からハイレベルのＲＦＯＫ信号が入力されたときは、３番目のセッションが存在する可能性が有るので、ディジタル信号処理回路６０でサブコードを読み取らせたあと（ステップＳ５４）、図８のステップＳ２３の側に進み、前述と同様にして、再びサブコードＱチャンネルの現在位置情報に基づくＰＳ3 のサーチを行う。
【００１９】
なお、ＬＳi のサーチ中にステップＳ３５またはＳ３８でＮＯとなったとき、振動等でエラーが起きた可能性が有るので、サーチし直すため、図１１のステップＳ６０へ進み、一旦、各種サーボをオフし、あらためて図８のステップＳ１１の場合と同様にして各種サーボをオンさせる（ステップＳ６１）。このあと、ディジタル信号処理回路６０でサブコードを読み取らせたあと（ステップＳ６２）、図９のステップＳ３１の側に進み、前述と同様にして、再びサブコードＱチャンネルの現在位置情報に基づくＬＳi のサーチを行う。
コントローラ７０は上記の如くして全てのセッションの管理情報の読み取りを終えると、ホストコンピュータの側に管理情報読み取り終了通知を送り、ホストコンピュータの側から要求があれば、管理情報をホストコンピュータの側に転送する。
【００２０】
【発明が解決しようとする課題】
上記した如く従来は、３番目のセッションを検索するためプログラム領域開始位置ＰＳ3 を目標にサーチしたが、光ピックアップ３の読み取り位置が２番目のセッション＃２のリードアウト領域を越え、追記セッションの存在しない領域に入ったため、ステップＳ３５またはＳ３８でＮＯとなったとき、一旦、サーチを強制終了し、再度各種サーボをオンしたあと、ＲＦ信号が有るかチェックし、無ければ３番目のセッションが存在しないと判別するようにしている（図１０のステップＳ５０〜Ｓ５３）。
【００２１】
けれども、光ピックアップ３の読み取り位置が２番目のセッション＃２のリードアウト領域の直ぐ外側に着地していたとき、ＣＤ−Ｒ１の芯振れでＣＤ−Ｒ１が１回転する間にレーザビームが２番目のセッション＃２のリードアウト領域のトラックに掛かったり、該リードアウト領域のトラックから外側に外れたりすることが有り、このとき、レーザビームが２番目のセッション＃２のリードアウト領域のトラックに掛かっている間に、ヘッドアンプ８からハイレベルのＲＦＯＫ信号が出力されてしまうので、コントローラ７０がステップＳ５２で間違ってＹＥＳと判断し、ステップＳ５４へ進んで、ディジタル信号処理回路６０でサブコードが読み取られるのを無駄に待ってしまうという誤動作をする問題があった。本発明は上記した従来技術の問題に鑑み、追記セッションの不存在を確実に判別できる光ディスク再生装置を提供することを、その目的とする。
【００２２】
【課題を解決するための手段】
本発明の請求項１記載の光ディスク再生装置では、マルチセッションでユーザ情報の記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号からユーザ情報を読み取る信号処理手段と、記録信号検出手段で検出された記録信号から回転速度信号を作成し、該回転速度信号に基づき光ディスクを所定の速度で回転させるスピンドルサーボ手段と、スピンドルサーボ手段に付設されてスピンドルサーボのロックを検出するロック検出手段と、を備えた光ディスク再生装置において、トラッキングサーボ手段とスレッドサーボ手段を制御し、光ピックアップの読み取り位置を追記セッションの存在する可能性の在る位置へ移動させる移動制御手段と、光ピックアップの読み取り位置が追記セッションの存在する可能性の在る位置へ移動後、各種サーボ手段のオン状態でロック検出手段がロックを検出しなかったとき、追記セッション無しと判別する判別手段と、を備えたことを特徴としている。
請求項１によれば、光ピックアップの読み取り位置が追記セッションの存在する可能性の在る位置へ移動後、各種サーボ手段のオン状態で、スピンドルサーボのロックを検出するロック検出手段がロックを検出しなかったとき、追記セッション無しと判別する。光ピックアップの読み取り位置が追記セッションの存在する可能性の在る位置へ移動した際、光ピックアップの読み取り位置が最後のセッションのリードアウト領域の直ぐ外側に着地し、光ディスクの芯振れで１回転する間にレーザビームが最後のセッションのリードアウト領域のトラックに掛かったり、リードアウト領域のトラックから外側に外れたりすると、スピンドルサーボが正常に掛からず、ロックしないので、追記セッションが存在しないことを確実に判別することができる。
本発明の請求項２記載の光ディスク再生装置では、マルチセッションでユーザ情報の記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号中のクロック成分を再生するＰＬＬ式クロック再生手段と、該ＰＬＬ式クロック再生手段に付設されてＰＬＬのロックを検出するロック検出手段と、再生クロックを用いて記録信号検出手段で検出された記録信号からユーザ情報を読み取る信号処理手段と、光ディスクを所定の速度で回転させるスピンドルサーボ手段と、を備えた光ディスク再生装置において、トラッキングサーボ手段とスレッドサーボ手段を制御し、光ピックアップの読み取り位置を追記セッションの存在する可能性の在る位置へ移動させる移動制御手段と、光ピックアップの読み取り位置が追記セッションの存在する可能性の在る位置へ移動後、各種サーボ手段のオン状態でロック検出手段がロックを検出しなかったとき、追記セッション無しと判別する判別手段と、を備えたことを特徴としている。
請求項２によれば、光ピックアップの読み取り位置が追記セッションの存在する可能性の在る位置へ移動後、各種サーボ手段のオン状態で、ＰＬＬ式クロック再生手段に付設されてＰＬＬのロックを検出するロック検出手段がロックを検出しなかったとき、追記セッション無しと判別する。光ピックアップの読み取り位置が追記セッションの存在する可能性の在る位置へ移動した際、光ピックアップの読み取り位置が最後のセッションのリードアウト領域の直ぐ外側に着地し、光ディスクの芯振れで１回転する間にレーザビームが最後のセッションのリードアウト領域のトラックに掛かったり、リードアウト領域のトラックから外側に外れたりすると、ＰＬＬ式クロック再生手段のＰＬＬが正常に掛からず、ロックしないので、追記セッションが存在しないことを確実に判別することができる。
本発明の請求項３記載の光ディスク再生装置では、マルチセッションでユーザ情報の記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号からユーザ情報を読み取ったり、同期信号を検出する信号処理手段と、光ディスクを所定の速度で回転させるスピンドルサーボ手段と、スピンドルサーボ手段のロックを検出するロック検出手段と、を備えた光ディスク再生装置において、トラッキングサーボ手段とスレッドサーボ手段を制御し、光ピックアップの読み取り位置を追記セッションの存在する可能性の在る位置へ移動させる移動制御手段と、光ピックアップの読み取り位置が追記セッションの存在する可能性の在る位置へ移動後、各種サーボ手段のオン状態で信号処理手段が同期信号を検出しなかったとき、追記セッション無しと判別する判別手段と、を備えたことを特徴としている。
請求項３によれば、光ピックアップの読み取り位置が追記セッションの存在する可能性の在る位置へ移動後、各種サーボ手段のオン状態で、信号処理手段が同期信号を検出しなかったとき、追記セッション無しと判別する。光ピックアップの読み取り位置が追記セッションの存在する可能性の在る位置へ移動した際、光ピックアップの読み取り位置が最後のセッションのリードアウト領域の直ぐ外側に着地し、光ディスクの芯振れで１回転する間にレーザビームが最後のセッションのリードアウト領域のトラックに掛かったり、リードアウト領域のトラックから外側に外れたりすると、同期信号を検出できないので、追記セッションが存在しないことを確実に判別することができる。
本発明の請求項４記載の光ディスク再生装置では、マルチセッションでユーザ情報とサブコードの記録可能な光ディスクに光ビームを照射するとともに反射光を受光し、光電変換して出力する光ピックアップと、光ピックアップから照射された光ビームを信号面に合焦させるフォーカスサーボ手段と、光ピックアップから照射された光ビームがトラックを追従するようにさせるトラッキングサーボ手段及びスレッドサーボ手段と、光ピックアップの出力から記録信号を検出する記録信号検出手段と、記録信号検出手段で検出された記録信号からユーザ情報とサブコードを読み取る信号処理手段と、光ディスクを所定の速度で回転させるスピンドルサーボ手段と、を備えた光ディスク再生装置において、トラッキングサーボ手段とスレッドサーボ手段を制御し、光ピックアップの読み取り位置を追記セッションの存在する可能性の在る位置へ移動させる移動制御手段と、光ピックアップの読み取り位置が追記セッションの存在する可能性の在る位置へ移動後、各種サーボ手段のオン状態で信号処理手段がサブコードを検出しなかったとき、追記セッション無しと判別する判別手段と、を備えたことを特徴としている。
請求項４によれば、光ピックアップの読み取り位置が追記セッションの存在する可能性の在る位置へ移動後、各種サーボ手段のオン状態で、信号処理手段がサブコードを検出しなかったとき、追記セッション無しと判別する。光ピックアップの読み取り位置が追記セッションの存在する可能性の在る位置へ移動した際、光ピックアップの読み取り位置が最後のセッションのリードアウト領域の直ぐ外側に着地し、光ディスクの芯振れで１回転する間にレーザビームが最後のセッションのリードアウト領域のトラックに掛かったり、リードアウト領域のトラックから外側に外れたりすると、サブコードを検出できないので、追記セッションが存在しないことを確実に判別することができる。
【００２３】
【発明の実施の形態】
図１は本発明の一つの実施の形態に係るＣＤ−Ｒ再生装置の構成を示すブロック図であり、図６と同一の構成部分には同一の符号が付してある。
４０Ａはスピンドルサーボ回路であり、この内、回転基準信号とスイッチ５５から入力された回転速度検出信号との位相・周波数比較を行う位相比較回路４２Ａにはスピンドルサーボ系（一種のＰＬＬ）がロックしたことを検出し、ハイレベルのロック検出信号ＳＬＤを出力するロック検出回路（図示せず）が付設されている。
【００２４】
７０Ａはマイコン構成のコントローラであり、ＣＤ−Ｒ１が装填されると装置の各部を制御し、ＣＤ−Ｒ１の各セッションを検索しながらリードイン領域に記録された管理情報を読み取らせ、内蔵メモリ（図示せず）に記憶するとともにホスト側に出力したり、ホスト側の要求に従いＣＤ−Ｒ１の各セッションのユーザ情報を読み取らせてホスト側に出力させたりする。このコントローラ７０Ａは、或るセッションの管理情報に含まれる次のセッションのプログラム領域開始位置情報に基づき、次のセッションの検索を行う際、光ピックアップ３の読み取り位置を当該次のセッションの存在する可能性の有る場所に移動後に当該次のセッションが不存在かの判別が必要になると、各種サーボがオン状態でスピンドルサーボがロックしたかチェックし、ロックしなければ当該次のセッションが不存在であると判別するようにしている。
図１のその他の構成部分は図６と全く同一に構成されている。
【００２５】
コントローラ７０Ａは図８〜図１１のフローチャートの内、図１０を図２に代えたフローチャートに従い、管理情報読み取り処理を実行する。以下、これら図８、図９、図２、図１１と、図１２を参照して管理情報読み取り動作を説明する。予め、図１２に示す如く、２つのセッション＃１、＃２が記録されたＣＤ−Ｒ１が装置に装填済であり、光ピックアップ３はＣＤ−Ｒ１の最内周の１番目のセッション＃１のリードイン領域の開始位置に待機しているものとする。また、各ループスイッチ１１、２１、３１、４５はオフしており、スイッチ５５はａ側となっているものとする。
コントローラ７０Ａはセッションの位置を示すｉを１に初期化し、各サーボの立ち上げ後（図８のステップＳ１０、Ｓ１１）、ディジタル信号処理回路６０で読み取られた１番目のセッション＃１のリードイン領域のサブコードＱチャンネルを入力し、１番目のセッション＃１の管理情報として内蔵メモリに記憶し、追記許可かチェックする（ステップＳ１２、Ｓ１３。図１２の符号Ａ参照）。ここでは追記許可であったとすると、２番目のセッションの検索を行う。ｉ＝２とし（ステップＳ１４）、１番目のセッション＃１の管理情報中の次のセッションのプログラム領域開始位置ＰＳ2 を目標位置とし、サブコードＱチャンネル中の現在位置と比較して、光ピックアップ３の読み取り位置の移動量Ｍを求める（ステップＳ１５）。
【００２６】
｜Ｍ｜≧トラック１００本のとき、トラッキングサーボとスレッドサーボをオフし（ステップＳ１６、Ｓ１７）、スレッド送りにより光ピックアップ３を２番目のセッションが存在する可能性の有る位置に移動させる（ステップＳ１８。図１２の符号Ｂ参照）。そして、スレッド送り開始後、一定時間経過する前に、トラック横切り本数計数回路９で計数しているトラック横切り本数が｜Ｍ｜に達したかを監視する（ステップＳ１９）。スレッド送り開始後、一定時間経過する前にトラック横切り本数計数回路９で計数したトラック横切り本数が｜Ｍ｜に達すると、トラック横切り本数が｜Ｍ｜に達した時点でステップＳ１９でＹＥＳと判断し、スレッド送りを停止し（ステップＳ２０）、トラッキングサーボとスレッドサーボをオンし、その後一定時間経過する前に、ディジタル信号処理回路６０でサブコードが読み取られたかを監視する（ステップＳ２１、Ｓ２２）。一定時間内に読み取られれば（ステップＳ２２でＹＥＳ）、サブコードＱチャンネル中の現在位置がＰＳ2 と一致しているかチェックする（ステップＳ２３）。ＹＥＳとなれば２番目のセッションが存在すると判別し、図９のステップＳ３０へ進むが、ここではＮＯであるとすると、ステップＳ１５に戻り、今回の目標位置ＰＳ2 と現在位置を比較して、光ピックアップ３の読み取り位置の移動量Ｍを求める。｜Ｍ｜＜トラック１００本であれば、レンズキックによりレーザビームをＭだけトラックジャンプさせる（ステップＳ１６でＮＯ、Ｓ２４。図１２の符号Ｃ参照）。
【００２７】
そして、ディジタル信号処理回路６０でサブコードが一定時間内に読み取られるのを待ち、サブコードが読み取られればＱチャンネル中の現在位置がＰＳ2 と一致するかチェックする（ステップＳ２２、Ｓ２３）。ＹＥＳとなれば２番目のセッションが存在すると判別し、図９のステップＳ３０に進み、２番目のセッションが存在することを内蔵メモリに登録し、２番目のセッションのリードイン領域開始位置ＬＳ2 （＝ＰＳ2 −６０秒）を新たな目標位置とし、Ｑチャンネル中の現在位置と比較して、光ピックアップ３の読み取り位置の移動量Ｍを求める（ステップＳ３１）。そして、図８のステップＳ１６〜Ｓ２４の場合と全く同様にして、光ピックアップ３の読み取り位置をＬＳ2 に移動させたあと（図９のステップＳ３２〜Ｓ４０。図１２の符号Ｄ参照）、図８のステップＳ１２に戻り、ディジタル信号処理回路６０で読み取られた２番目のセッションのリードイン領域のサブコードＱチャンネルを入力し、２番目のセッションの管理情報として内蔵メモリに記憶し、追記許可かチェックする（ステップＳ１２、Ｓ１３。図１２の符号Ｅ参照）。許可であったとすると、３番目のセッションが存在する可能性が有るので前述と同様にして３番目のセッションの検索を行う。
【００２８】
すなわち、２番目のセッション＃２の管理情報に含まれている３番目のセッションのプログラム領域開始位置ＰＳ3 を新たな目標位置とし、Ｑチャンネル中の現在位置と比較して、光ピックアップ３の読み取り位置の移動量Ｍを求め（ステップＳ１４、１５）、ＰＳ2 をサーチした場合と全く同様にして、光ピックアップ３の読み取り位置を３番目のセッションの存在する可能性の有る位置に移動させる（ステップＳ１６でＹＥＳ、Ｓ１７〜Ｓ１９、またはステップＳ１６でＮＯ、Ｓ２４。図１２の符号Ｆ参照）。けれども、実際には３番目のセッションが存在しないため、光ピックアップ３の移動中に２番目のセッション＃２のリードアウト領域を過ぎるとＲＦ信号が落ちてトラック横切り本数計数回路９の計数が進まず、トラック横切り本数が｜Ｍ｜に達する前にステップＳ１９でＮＯとなったり、レンズキックによるトラックジャンプ後、読み取り位置が２番目のセッション＃２のリードアウト領域を越えた位置に来たため、サブコードの読み取りが出来ないまま一定時間過ぎ、ステップＳ２２でＮＯとなったりする。このとき、コントローラ７０Ａは図２のステップＳ５０へ進み、３番目のセッションが不存在か判別する処理を行う。
【００２９】
具体的には、まずＰＬ3 のサーチ動作を強制終了するため、一旦、ループスイッチ１１、２１、３１、４５を開き、スイッチ５５をａ側に切り換えて各種サーボをオフする。そして、あらためて図８のステップＳ１１の場合と同様にして各種サーボをオンさせる（ステップＳ５１）。このあと、一定時間内にスピンドルサーボ回路４０Ａの位相比較回路４２Ａからスピンドルサーボがロックしたことを示すハイレベルのＳＲＫ信号が入力されたかチェックする（ステップＳ５５）。光ピックアップ３の読み取り位置が２番目のセッション＃２のリードアウト領域より離れた外側に有り、ＣＤ−Ｒ１が１回転する間にレーザビームが２番目のセッション＃２のリードアウト領域のトラックに全く掛からない場合は勿論のこと、光ピックアップ３の読み取り位置が２番目のセッション＃２のリードアウト領域の直ぐ外側に有り、ＣＤ−Ｒ１の芯振れでＣＤ−Ｒ１が１回転する間にレーザビームが２番目のセッション＃２のリードアウト領域のトラックに掛かったり、リードアウト領域から外れたりする場合でも、ヘッドアンプ８のＥＦＭ信号出力が異常なので同期信号発生回路５２がフレーム同期信号を検出できないのは勿論のこと、最長パルス検出回路５３も正常に最長パルスを検出できなので、擬似同期信号発生回路５４が正しい周期の擬似フレーム同期信号を発生できない。従って、スイッチ５５から出力される回転速度検出信号が異常となり、スピンドルサーボはロック出来ず、位相比較回路４２ＡはＳＲＫ信号をローレベルのままとしている。よって、コントローラ７０はステップＳ５５でＮＯと判断し、３番目のセッションは不存在であると判別して内蔵メモリに登録し、一連の処理を終える（ステップＳ５３）。
【００３０】
なお、ＬＳi のサーチ中に図９のステップＳ３５またはＳ３８でＮＯとなったとき、振動等でエラーが起きた可能性が有るので、サーチし直すため、図５のステップＳ６０へ進み、一旦、各種サーボをオフし、あらためて図８のステップＳ１１の場合と同様にして各種サーボをオンさせる（ステップＳ６１）。このあと、ディジタル信号処理回路６０でサブコードを読み取らせたあと（ステップＳ６２）、図９のステップＳ３１の側に進み、前述と同様にして、再びサブコードＱチャンネルの現在位置情報に基づくＬＳi のサーチを行う。
【００３１】
また、２番目のセッション＃２のプログラム領域開始位置ＰＳ2 をサーチ中に、振動等の何らかの事情で図８のステップＳ１９またはＳ２２でＮＯとなったときも、ＰＳ2 のサーチ動作を強制終了するため、一旦、ループスイッチ１１、２１、３１、４５を開き、スイッチ５５をａ側に切り換えて各種サーボをオフする（図２のステップＳ５０）。そして、あらためて図８のステップＳ１１の場合と同様にして各種サーボをオンさせる（ステップＳ５１）。このあと、一定時間内にスピンドルサーボ回路４０Ａの位相比較回路４２Ａからスピンドルサーボがロックしたことを示すハイレベルのＳＬＤ信号が入力されたかチェックする（ステップＳ５５）。光ピックアップ３の読み取り位置が１番目のセッション＃１のリードアウト領域終了位置の近くにあれば、ＣＤ−Ｒ１に芯振れが生じていても１番目のセッション＃１または２番目のセッション＃２のいずれかにレーザビームが当たっており、ヘッドアンプ８はＥＦＭ信号を正常に出力できる。よって、最長パルス検出回路５３は正常に最長パルスを検出でき、擬似同期信号発生回路５４が正しい周期の擬似フレーム同期信号を発生できるため、同期信号検出回路５２がフレーム同期信号を検出する前でもスピンドルサーボが正常に掛かり、直ぐにＰＬＬ式クロック再生回路５０が正常にクロック再生できるので、直ぐに同期信号検出回路５２がフレーム同期信号を検出できるようになり、スピンドルサーボも直ぐにロックする。従って、位相比較回路４２ＡからハイレベルのＳＬＤ信号が入力されるので、２番目のセッション＃２が存在する可能性が有るとしてディジタル信号処理回路６０でサブコードを読み取らせたあと（ステップＳ５４）、図８のステップＳ１５の側に進み、前述と同様にして、再びサブコードＱチャンネルの現在位置情報に基づくＰＳ2 のサーチを行う。
【００３２】
この実施の形態によれば、光ピックアップ３の読み取り位置が追記セッションの存在する可能性の在る位置へ移動後、各種サーボのオン状態で、一定時間の間にスピンドルサーボ回路４０Ａの位相比較回路４２Ａがスピンドルサーボのロックを検出しなかったとき、コントローラ７０Ａは追記セッション無しと判別する。光ピックアップ３の読み取り位置を追記セッションの存在する可能性の在る位置へ移動した際、光ピックアップ３の読み取り位置がＣＤ−Ｒ１の最後のセッション＃２のリードアウト領域の直ぐ外側に着地し、ＣＤ−Ｒ１の芯振れで１回転する間にレーザビームが最後のセッション＃２のリードアウト領域のトラックに掛かったり、該リードアウト領域のトラックから外側に外れたりすると、スピンドルサーボが正常に掛からず、ロックしないので、コントローラ７０Ａは追記セッションが存在しないことを確実に判別することができる。
また、ヘッドアンプ８にはＲＦ信号有りを検出する機能が無いものを用いることもできる。
【００３３】
なお、上記した実施の形態では、スピンドルサーボ回路４０Ａの位相比較回路４２Ａにスピンドルサーボのロックを検出するロック検出回路を付加しておき、図８のステップＳ１９、Ｓ２２でＮＯとなったとき、図２へ進み、一旦、サーチ動作を強制終了し、再度各種サーボを立ち上げたあと、一定時間内にスピンドルサーボのロックが検出されなければ追加セッション無しと判別するようにしたが、これと異なり、ＰＬＬ式クロック再生回路５０にＰＬＬのロックを検出し、ハイレベルのロック検出信号をコントローラ７０Ａへ出力するロック検出回路（図示せず）を付加しておくとともに、図２を図３の如く変更し、コントローラ７０Ａは、図８のステップＳ１９、Ｓ２２でＮＯとなったとき、図３へ進み、一旦サーチ動作を強制終了し、再度各種サーボを立ち上げたあと、一定時間内にＰＬＬ式ロック再生回路５０でＰＬＬのロックが検出されなければ追加セッション無しと判別して内蔵メモリに登録するようにし（ステップＳ５０、Ｓ５１、Ｓ５６でＮＯ、Ｓ５３）、一定時間内にロックが検出されれば（ステップＳ５６でＹＥＳ）、ステップＳ５４へ進むようにしても良い。
【００３４】
光ピックアップ３の読み取り位置を追記セッションの存在する可能性の在る位置へ移動した際、光ピックアップ３の読み取り位置がＣＤ−Ｒ１の最後のセッション＃２のリードアウト領域の直ぐ外側に着地し、ＣＤ−Ｒ１の芯振れで１回転する間にレーザビームが最後のセッション＃２のリードアウト領域のトラックに掛かったり、該リードアウト領域のトラックから外側に外れたりすると、ＰＬＬ式クロック再生回路５０のＰＬＬが正常に掛からず、ロックしないので、コントローラ７０Ａは追記セッションが存在しないことを確実に判別することができる。
【００３５】
また、図２を図４の如く変更するとともに、同期信号検出回路５５から出力されたフレーム同期信号検出信号ＦＳＤをコントローラ７０Ａにも入力するようにし、コントローラ７０Ａは、図８のステップＳ１９、Ｓ２２でＮＯとなったとき、図４へ進み、一旦サーチ動作を強制終了し、再度各種サーボを立ち上げたあと、一定時間内に同期信号検出回路５２でフレーム同期信号が検出されなければ追加セッション無しと判別して内蔵メモリに登録するようにし（ステップＳ５０、Ｓ５１、Ｓ５７でＮＯ、Ｓ５３）、一定時間内にフレーム同期信号が検出されれば（ステップＳ５７でＹＥＳ）、ステップＳ５４へ進むようにしても良い。
光ピックアップ３の読み取り位置を追記セッションの存在する可能性の在る位置へ移動した際、光ピックアップ３の読み取り位置がＣＤ−Ｒ１の最後のセッション＃２のリードアウト領域の直ぐ外側に着地し、ＣＤ−Ｒ１の芯振れで１回転する間にレーザビームが最後のセッション＃２のリードアウト領域のトラックに掛かったり、該リードアウト領域のトラックから外側に外れたりすると、ＰＬＬ式クロック再生回路５０のＰＬＬが正常に掛からず、ビット読み取り回路５１で正常にＥＦＭデータを読み取ることができず、同期信号検出回路５２がフレーム同期信号を検出することができないので、コントローラ７０Ａは追記セッションが存在しないことを確実に判別することができる。
【００３６】
また、図２を図５の如く変更し、コントローラ７０Ａは、図８のステップＳ１９、Ｓ２２でＮＯとなったとき、図５へ進み、一旦サーチ動作を強制終了し、再度各種サーボを立ち上げたあと、一定時間内にディジタル信号処理回路６０でサブコードが読み取れなければ追加セッション無しと判別して内蔵メモリに登録するようにし（ステップＳ５０、Ｓ５１、Ｓ５８でＮＯ、Ｓ５３）、一定時間内にサブコードが読み取れれば（ステップＳ５８でＹＥＳ）、図８のステップＳ２３へ進むようにしても良い。
光ピックアップ３の読み取り位置を追記セッションの存在する可能性の在る位置へ移動した際、光ピックアップ３の読み取り位置がＣＤ−Ｒ１の最後のセッション＃２のリードアウト領域の直ぐ外側に着地し、ＣＤ−Ｒ１の芯振れで１回転する間にレーザビームが最後のセッション＃２のリードアウト領域のトラックに掛かったり、該リードアウト領域のトラックから外側に外れたりすると、ＰＬＬ式クロック再生回路５０のＰＬＬが正常に掛からず、ビット読み取り回路５１で正常にＥＦＭデータを読み取ることができず、ディジタル信号処理回路６０がサブコードを読み取ることができないので、コントローラ７０Ａは追記セッションが存在しないことを確実に判別することができる。
【００３７】
更に、図１中のトラック横切り本数計数回路９はＲＦ信号に基づき計数するようにしたが、トラッキングエラー信号に基づき計数するようにしても良い。また、上記した実施の形態、変形例ではＣＤ−Ｒを例に挙げて説明したが、本発明は何らこれに限定されるものでなく、ＣＤ−ＲＷなどマルチセッションで記録可能な他の種類の光ディスクにも同様に適用することができる。
【００３８】
【発明の効果】
本発明によれば、光ピックアップの読み取り位置を追記セッションの存在する可能性の在る位置へ移動した際、光ピックアップの読み取り位置が光ディスクの最後のセッションの直ぐ外側に着地し、光ディスクの芯振れで該光ディスクが１回転する間に読み取り位置が最後のセッションのトラックに掛かったり、最後のセッションのトラックから外側に外れたりしても、セッションが不存在の場合に間違いなく判別できるようになる。
【図面の簡単な説明】
【図１】本発明の１つの実施の形態に係るＣＤ−Ｒ再生装置の構成を示すブロック図である。
【図２】図１中のコントローラによる管理情報読み取り処理の一部を示すフローチャートである。
【図３】図１の変形例に係るコントローラによる管理情報読み取り処理の一部を示すフローチャートである。
【図４】図１の他の変形例に係るコントローラによる管理情報読み取り処理の一部を示すフローチャートである。
【図５】図１の更に他の変形例に係るコントローラによる管理情報読み取り処理の一部を示すフローチャートである。
【図６】従来のＣＤ−Ｒ再生装置の構成を示すブロック図である。
【図７】図６の装置のフォーカスサーチ動作の説明図である。
【図８】図６中のコントローラによる管理情報読み取り処理を示すフローチャートである。
【図９】図６中のコントローラによる管理情報読み取り処理を示すフローチャートである。
【図１０】図６中のコントローラによる管理情報読み取り処理を示すフローチャートである。
【図１１】図６中のコントローラによる管理情報読み取り処理を示すフローチャートである。
【図１２】管理情報読み取り動作の説明図である。
【符号の説明】
１  ＣＤ−Ｒ                      ２  スピンドルモータ
３  光ピックアップ                ７  スレッドモータ
８  ヘッドアンプ                  １０  フォーカスサーボ回路
２０  トラッキングサーボ回路      ３０  スレッドサーボ回路
４０Ａ  スピンドルサーボ回路      ４２Ａ  位相比較回路
５０  ＰＬＬ式クロック再生回路    ５２  同期信号検出回路
５３  最長パルス検出回路          ５４  擬似同期信号発生回路
５５  スイッチ                    ６０  ディジタル信号処理回路
７０Ａ  コントローラ
【図１】
0003865356.tif 000002
【図２】
0003865356.tif 000003
【図３】
0003865356.tif 000004
【図４】
0003865356.tif 000005
【図５】
0003865356.tif 000006
【図６】
0003865356.tif 000007
【図７】
0003865356.tif 000008
【図８】
0003865356.tif 000009
【図９】
0003865356.tif 000010
【図１０】
0003865356.tif 000011
【図１１】
0003865356.tif 000012
【図１２】
0003865356.tif 000013